(57)【特許請求の範囲】
【請求項１】
支柱の一方の側壁に柵ビームが取付けられると共に、前記支柱に取付けられた取付金具
を介して、該支柱間に、上下横桟と該横桟間に複数の縦桟が取付けられた柵パネルが架設
され、前記支柱は上部に鍔部が側方に突出され、前記取付金具は、底板部の外側端部が断
面コ字状に折曲されて、前記鍔部に係合される係合部が形成されると共に、前記底板部よ
り縦壁が上方に突設されて、前記縦壁の外側面に支持部が側方に突設され、前記係合部の
コ字内に前記鍔部を位置させかつ前記底板部を支柱の上端に位置させて、支柱に取付けら
れていると共に、前記支持部に前記柵パネルの最外端に位置する縦桟が支持されているこ
とを特徴とする防護柵。
【請求項２】
前記支柱の上端にキャップが被せられ、該キャップに前記鍔部が突出されていることを
特徴とする請求項１に記載の防護柵。
【請求項３】
支柱の側壁に左右方向に張出す支持金具が取付けられ、該支持金具の先端に、前記柵パ
ネルの最外端に位置する縦桟の下部が支持されていることを特徴とする請求項１または２
に記載の防護柵。
【請求項４】
前記取付金具の先端または支持金具の先端に、前記柵パネルの最外端に位置する縦桟に
突出された突出部を載置して、前記柵パネルを仮置きすることができるようになされてい
ることを特徴とする請求項１〜３のいずれか１項に記載の防護柵。
【請求項５】
支柱の一方の側壁に柵ビームが取付けられ、前記支柱の上端に前記鍔部が突出されてい
るキャップが被せられた既設の防護柵において、前記請求項１〜４のいずれか１項に記載
の防護柵に用いられた取付金具を介して、前記支柱間に、上下横桟と該横桟間に複数の縦
桟が取付けられた柵パネルを後付けにより架設することを特徴とする防護柵の改修方法。
【発明の詳細な説明】
【技術分野】
【０００１】
本発明は道路等に設置されるパネル柵やビーム柵等の防護柵及び防護柵の改修方法に関するものである。
【背景技術】
【０００２】
従来、道路等に設置される防護柵としては、例えば、防護柵の支柱に取付けられる基部と、前記基部と一体的に形成されるとともに、前記支柱に取付けられる側と反対側に設けられ、かつその支柱の長さ方向と直交する方向に延びた取付部と、前記取付部の側面に開口部を有するとともに、その開口部に対応してその取付部内に設けられた孔部と、一端部が前記孔部内に挿入されたときに、前記取付部に設けられたねじ穴にねじ込まれたねじを中心に揺動自在に取付けられるとともに、他端部が前記防護柵の剛性横桟が取付けられる接続部と、を有する防護柵の剛性横桟用取付金具を用いて構成された防護柵が提案されている。（特許文献１）
【０００３】
【特許文献１】特開平０８−３１１８３３号公報
【発明の概要】
【発明が解決しようとする課題】
【０００４】
しかしながら、上記防護柵に柵パネルを添加する場合には、支柱に別途加工を施して柵パネルを取付けなければならず、施工性に改善の余地が残されたものであった。
【０００５】
そこで本発明は、柵ビームが取付けられている防護柵に柵パネルを取付ける際、支柱に別途加工を施す必要がない防護柵及び防護柵の改修方法を提供せんとするものである。
【課題を解決するための手段】
【０００６】
上記目的を達成するために、本発明は次のような構成としている。
すなわち、本発明に係る防護柵は、支柱の一方の側壁に柵ビームが取付けられると共に
、前記支柱に取付けられた取付金具を介して、該支柱間に、上下横桟と該横桟間に複数の
縦桟が取付けられた柵パネルが架設され、前記支柱は上部に鍔部が側方に突出され、前記
取付金具は、底板部の外側端部が断面コ字状に折曲されて、前記鍔部に係合される係合部
が形成されると共に、前記底板部より縦壁が上方に突設されて、前記縦壁の外側面に支持
部が側方に突設され、前記係合部のコ字内に前記鍔部を位置させかつ前記底板部を支柱の
上端に位置させて、支柱に取付けられていると共に、前記支持部に前記柵パネルの最外端
に位置する縦桟が支持されていることを特徴ものである。
【０００７】
また、本発明に係る防護柵は、前記支柱の上端にキャップが被せられ、該キャップに前記鍔部が突設されていることを特徴とするものである。
【０００８】
また、本発明に係る防護柵は、支柱の側壁に左右方向に張出す支持金具が取付けられ、該支持金具の先端に、前記柵パネルの最外端に位置する縦桟の下部が支持されていることを特徴とするものである。
【０００９】
また、本発明に係る防護柵は、前記取付金具の先端または支持金具の先端に、前記柵パネルの最外端に位置する縦桟に突出された突出部を載置して、前記柵パネルを仮置きすることができるようになされていることを特徴とするものである。
【００１０】
また、本発明に係る防護柵の改修方法は、支柱の一方の側壁に柵ビームが取付けられ、前記支柱の上端に前記鍔部が突出されているキャップが被せられた既設の防護柵において、前記請求項１〜４のいずれか１項に記載の防護柵に用いられた取付金具を介して、前記支柱間に、上下横桟と該横桟間に複数の縦桟が取付けられた柵パネルを後付けにより架設することを特徴とするものである。
【発明の効果】
【００１１】
本発明に係る防護柵によれば、支柱の一方の側壁に柵ビームが取付けられると共に、前
記支柱に取付けられた取付金具を介して、該支柱間に、上下横桟と該横桟間に複数の縦桟
が取付けられた柵パネルが架設され、前記支柱は上部に鍔部が側方に突出され、前記取付
金具は、底板部の外側端部が断面コ字状に折曲されて、前記鍔部に係合される係合部が形
成されると共に、前記底板部より縦壁が上方に突設されて、前記縦壁の外側面に支持部が
側方に突設され、前記係合部のコ字内に前記鍔部を位置させかつ前記底板部を支柱の上端
に位置させて、支柱に取付けられていると共に、前記支持部に前記柵パネルの最外端に位
置する縦桟が支持されているため、柵パネルを支柱に架設する際に、支柱に別途加工する
必要がなく施工でき、また鍔部により取付金具の位置決めがなされるため、施工効率を格
段に向上される。
【００１２】
また本発明に係る防護柵によれば、前記支柱の上端にキャップを被せ、該キャップに前記鍔部が突設されているため、柵パネルを支柱に架設する際、支柱に別途加工することなく施工でき、効率よく防護柵の施工を行うことができる。
【００１３】
また本発明に係る防護柵によれば、支柱の側壁に左右方向に張出す支持金具を取付け、該支持金具の先端に、前記柵パネルの最外端に位置する縦桟の下部を支持しているため、縦桟の上部と下部とを支柱に支持して、柵パネルを支柱に強固に固定することができる。
【００１４】
また本発明に係る防護柵によれば、前記取付金具の先端または支持金具の先端に、前記柵パネルの最外端に位置する縦桟に突出された突出部を載置して、前記柵パネルを仮置きすることができるようにしているため、柵パネルを架設する作業効率を向上させることができる。
【００１５】
また本発明に係る防護柵の改修方法によれば、支柱の一方の側面に柵ビームが取付けられている既設の防護柵を、柵パネルの取付けられた防護柵に容易に改修することができる。
【図面の簡単な説明】
【００１６】
【図１】本発明に係る防護柵の実施の一形態を示す、（ａ）は正面図、（ｂ）は平面図、（ｃ）は右側面図である。
【図２】本発明に係る防護柵に用いられる取付金具の斜視図である。
【図３】本発明に係る防護柵に用いられる支持金具の斜視図である。
【図４】本発明に係る防護柵の施工方法を示す説明図である。
【図５】図４（ａ）の部分拡大図である。
【図６】図４（ｃ）の正面視の要部拡大の部分断面図である。
【発明を実施するための形態】
【００１７】
本発明の実施の形態について、図面に基づき以下に具体的に説明する。
図において、１は円柱状の支柱であり、その下部は地中に埋設され適宜間隔で複数本地表に立設される。２は支柱１の上端に被せられた下部が略円筒形状となされたキャップであり、上端は一方の側面から該側面に相対する他方の側面に向けて片流れ状に傾斜する平坦な傾斜面２１となされて、該キャップ２の上部は側面視三角形状となされている。またその下方には凹溝２２が全周に亘り形成され、該凹溝２２には合成樹脂に球形のガラスビーズが間隔をおいて配置された帯状の反射体Ｈが巻回されている。また、凹溝２２の下方には支柱１に内挿される挿入部２３が突設されて、該挿入部２３が支柱１上端に挿入されると共に、支柱１と前記キャップ２の挿入部２３とを貫通するキャップ固定用ボルトＢ１で支柱１に固定されている。
【００１８】
前記キャップ２の上端に形成された傾斜面２１は、上方の等幅部２４と下方の湾曲部２５とから形成される平面視略Ｕ字状の外形となされ、そして前記傾斜面２１の下部が円筒形状となされていることによって、前記等幅部２４の両側端はその下部の円筒形状より左右側方に突出されて、鍔部２６となされている。
【００１９】
３は前記支柱１間に架設される柵パネルであって、上下横桟３１と該横桟３１間に複数の縦桟３２が取付けられてなり、４は取付金具であって、前記柵パネル３は支柱１に取付けられた取付金具４を介して支柱１間に架設されている。さらに詳しく説明すると、前記支柱１のキャップ２の両側に取付金具４がそれぞれ配置されると共に、各取付金具４の基端に形成された断面コ字状の係合部４１が前記キャップ２の鍔部２６にそれぞれ係合され、この状態で取付金具４がキャップ２に固定され、そして、取付金具４の先端に形成された支持部４２に、前記柵パネル３の最外端に位置する縦桟３２の上部において側方に突出されている突出部３３が支持されて、柵パネル３が支柱１に取付けられている。
【００２０】
柵パネル３の突出部３３は、前記取付金具４の支持部４２及び後述する支持金具５の支持部５２とに柵パネル固定用ボルトＢ２を挿入・螺着して柵パネル３と支柱１とを固定できるように、柵パネル固定用ボルトＢ２が挿入できる大きさの縦筒状となされている。
【００２１】
取付金具４は、キャップ２の傾斜面２１上に配置される底板部４３の外側端部が断面コ字状に折曲されて、前記キャップ２に形成された鍔部２６に係合される前記係合部４１が形成され、前記底板部４３の略中央部から上方に平面視Ｌ字状の縦壁４４が突設されて、縦壁４４の外側面に前記支持部４２が側方に突設され、さらに縦壁４４の下方には、取付金具固定用ボルトＢ３を挿入する挿入孔４５が２個設けられている。
【００２２】
そして、支柱１のキャップ２の鍔部２６に、各取付金具４の係合部４１をそれぞれ係合させると共に、各取付金具４の底板部４３をキャップ２の傾斜面２１上にそれぞれ配置し、この状態で前記挿入孔４５に取付金具固定用ボルトＢ３を挿入し、該取付金具固定用ボルトＢ３を締着することにより、二個の取付金具４間に前記キャップ２が挟着され、もって取付金具４がキャップ２に固定される。
【００２３】
５は支柱１の前面側の下部側壁に左右方向に張出して取付けられた支持金具であって、支柱１の側面の形状に対応し、支柱１の側面に当接する湾曲状の当接部５１の両側先端には、前記柵パネル３の最外端に位置する縦桟３２の下部側面の側方に突出されている突出部３３を支持する支持部５２が形成されている。また前記当接部５１の中央には、支柱１にこの支持金具５を支持金具固定用ボルトＢ４を挿入・螺着して支柱１と支持金具５とを固定する際に、支持金具固定用ボルトＢ４を挿入する通孔５３が１個設けられている。そして前記支持部５２は、支持部５２と柵パネル３の突出部３３とに柵パネル固定用ボルトＢ２を挿入・螺着して柵パネル３と支柱１とを固定できるように、柵パネル固定用ボルトＢ２が挿入できる大きさの縦筒状となされている。
【００２４】
Ｍは支柱１の背面側の側壁に３段に取付けられている柵ビームである。該柵ビームＭは本形態においては横桟で形成されているが、これに限定されるものではなく、上下横桟間に複数の縦桟が取付けられた柵パネルの上下横桟であってもよい。
【００２５】
次に、支柱１に柵パネル３を取付ける方法について、図４、５を用いて説明する。
柵ビームＭが取付けられた支柱１の上端のキャップ２の鍔部２６に、右側の取付金具４と左側の取付金具４とをその基端に形成された係合部４１を相対向して係止させて、２本の取付金具固定用ボルトＢ３で左右２個の取付金具４を連結・固定する。次いで、支柱１の前側面に支持金具５を支持金具固定用ボルトＢ４を挿入・螺着して、支柱１に支持金具５を固定する。そして、取付金具４の支持部４２と支持金具５の支持部５２とに、柵パネル３の最外端に位置する縦桟３２の上部側面の側方と下部側面の側方とに突出されている２個の突出部３３をそれぞれ載置して、柵パネル３を仮置きし、柵パネル固定用ボルトＢ２を取付具４の支持部４２及び支持金具５の支持部５１と柵パネル３の突出部３３に上下方向にそれぞれ挿入・螺着して、防護柵の施工が完了する。
【００２６】
なお、本発明に係る防護柵は、既設の防護柵を改修することによって構築してもよい。すなわち、支柱１の一方の側面に、該支柱１を貫通する柵ビーム取付用ボルトＢ５により柵ビームＭが３段に取付けられている既設の防護柵に対して、支柱１間に、前記取付金具４及び支持金具５を介して前記柵パネル３を後付けして、図１に示される如き本発明に係る防護柵を構築することができる。
【００２７】
この場合、既設の防護柵に取付けられた柵ビームＭは車両を路外に逸脱しないようにするものであり、図１に示される柵パネル３は、これに加えて、主として車両以外の人、物が路外にはみ出さないようにするものであるので、前記柵パネル３の高さは支柱１のほぼ全長より高く形成されるのが好ましい。
【００２８】
なお、本形態においては、支柱１の上端に被せられたキャップ２に鍔部２６を設けているが、支柱１に直接鍔部を設けるようにしてもよい。
【産業上の利用可能性】
【００２９】
本発明に係る防護柵によれば、支柱の一方の側壁に柵ビームを取付けると共に、前記支柱間に取付金具を介して、上下横桟と該横桟間に複数の縦桟が取付けられた柵パネルを架設し、前記支柱の上部に左右方向に突設された鍔部に、前記取付金具をそれぞれ取付け、前記取付金具は基端に前記鍔部に取付けられる係合部が形成されると共に先端に前記柵パネルの最外端に位置する縦桟を支持する支持部を形成しているため、柵パネルを支柱に架設する際においても、支柱に別途加工する必要がなく施工できるため、施工効率を格段に向上できる防護柵として、好適に利用することができる。
【符号の説明】
【００３０】
１    支柱
２    キャップ
２１  傾斜面
２２  凹溝
２３  挿入部
２４  等幅部
２５  湾曲部
２６  鍔部
３    柵パネル
３１  横桟
３２  縦桟
３３  突出部
４    取付金具
４１  係合部
４２  支持部
５    支持金具
５１  支持部
Ｍ    柵ビーム
Ｈ    反射体
Ｂ１  キャップ固定用ボルト
Ｂ２  柵パネル固定用ボルト
Ｂ３  取付金具固定用ボルト
Ｂ４  支持金具固定用ボルト
Ｂ５  柵ビーム取付用ボルト
【図１】
0005485768.tif 000002
【図２】
0005485768.tif 000003
【図３】
0005485768.tif 000004
【図４】
0005485768.tif 000005
【図５】
0005485768.tif 000006
【図６】
0005485768.tif 000007